(57)【要約】【課題】現在どの装置の操作コードを選択しているのか目視で判断できなくても、所望の装置を操作することができるリモートコントロールシステムを提供することである。【解決手段】リモートコントロールシステムは、複数の操作コードを有するリモコン５０と、リモコン５０からの操作指示にしたがって動作するＨＤＤ記録再生部１２及びＤＶＤ記録再生部１３を備えたＨＤＤ一体型光ディスク装置１０とからなり、リモコン５０が、リモコン５０側で選択されている操作コードを送信すると、ＨＤＤ一体型光ディスク装置１０が、ＨＤＤ一体型光ディスク装置１０側でどの操作コードが有効になっているかを確認し、リモコン５０側で選択されている操作コードとＨＤＤ一体型光ディスク装置１０側で有効になっている操作コードとが一致しない場合、両操作コードが一致するようにリモコン５０側又はＨＤＤ一体型光ディスク装置１０側の設定を変更する。【選択図】図１
2008098957.tif 000002
【特許請求の範囲】
【請求項１】
複数の操作コードを有するリモコンと、該リモコンからの操作指示にしたがって動作する記録媒体再生部を複数備えた記録媒体再生装置とからなるリモートコントロールシステムにおいて、
前記リモコンは、前記操作コードを切り換える切換キーを有する操作部と、前記記録媒体再生装置へ操作指示を送信するリモコン側送信部と、前記記録媒体再生装置からの指示を受信するリモコン側受信部とを備え、
前記記録媒体再生装置は、前記リモコンからの操作指示を受信する装置側受信部と、前記リモコンへ指示を送信する装置側送信部とを備え、
前記記録媒体再生装置がスタンバイ状態にあるときに、複数の記録媒体に兼用されるキーが操作された場合、前記リモコンが、リモコン側で選択されている操作コードを送信し、
前記記録媒体再生装置が、記録媒体再生装置側でどの操作コードが有効になっているかを確認し、
前記リモコン側で選択されている操作コードと前記記録媒体再生装置側で有効になっている操作コードとが一致する場合、前記リモコンは前記操作されたキーに応じた操作指示を送信し、
リモコン側で選択されている操作コードと記録媒体再生装置側で有効になっている操作コードとが一致しない場合、前記両操作コードが一致するようにリモコン側又は記録媒体再生装置側の設定を変更するために、前記記録媒体再生装置はどちらの設定を変更すべきか指示するようにリモコンに要求するとともにメッセージを出力し、前記リモコンの操作部が操作されてリモコン側又は記録媒体再生装置側の設定を変更する指示があると、該指示にしたがって設定を変更し、その後、前記リモコンは前記操作されたキーに応じた操作指示を送信することを特徴とするリモートコントロールシステム。
【請求項２】
複数の操作コードを有するリモコンと、該リモコンからの操作指示にしたがって動作する複数の記録媒体再生装置又は記録媒体再生部を複数備えた記録媒体再生装置とからなるリモートコントロールシステムにおいて、
前記リモコンは、前記操作コードを切り換える切換キーを有する操作部と、前記記録媒体再生装置へ操作指示を送信するリモコン側送信部と、前記記録媒体再生装置からの指示を受信するリモコン側受信部とを備え、
前記記録媒体再生装置は、前記リモコンからの操作指示を受信する装置側受信部と、前記リモコンへ指示を送信する装置側送信部とを備え、
前記リモコンが、リモコン側で選択されている操作コードを送信すると、前記記録媒体再生装置が、記録媒体再生装置側でどの操作コードが有効になっているかを確認し、リモコン側で選択されている操作コードと記録媒体再生装置側で有効になっている操作コードとが一致しない場合、両操作コードが一致するようにリモコン側又は記録媒体再生装置側の設定を変更することを特徴とするリモートコントロールシステム。
【請求項３】
前記リモコンがリモコン側で選択されている操作コードを送信するのは、前記記録媒体再生装置がスタンバイ状態にあるときに、複数の記録媒体に兼用されるキーが操作された場合であることを特徴とする請求項２記載のリモートコントロールシステム。
【請求項４】
前記両操作コードが一致するようにリモコン側又は記録媒体再生装置側の設定を変更した後、前記操作されたキーに応じた操作指示を送信することを特徴とする請求項３記載のリモートコントロールシステム。
【請求項５】
前記リモコン側で選択されている操作コードと記録媒体再生装置側で有効になっている操作コードとが一致する場合、前記リモコンは前記操作されたキーに応じた操作指示を送信することを特徴とする請求項３又は４記載のリモートコントロールシステム。
【請求項６】
前記両操作コードが一致するようにリモコン側又は記録媒体再生装置側の設定を変更するために、前記記録媒体再生装置はどちらの設定を変更すべきか指示するように促すことを特徴とする請求項２〜５の何れかに記載のリモートコントロールシステム。
【発明の詳細な説明】
【技術分野】
【０００１】
本発明は、複数の操作コードを有するリモコンと、該リモコンからの操作指示にしたがって動作する複数の記録媒体再生装置又は記録媒体再生部を複数備えた記録媒体再生装置とからなるリモートコントロールシステムに関する。
【背景技術】
【０００２】
テレビにはビデオ装置やＤＶＤ装置やＨＤＤ装置などの録画再生装置が１台又は複数台接続されているのが現状である。そして、装置にはそれぞれリモコンが付属しているので、装置の数だけリモコンが存在することになり、所望のリモコンを探すのに手間がかかる。
【０００３】
そこで、複数の装置を操作可能なリモコンを使っているユーザも多い。複数の装置を１つのリモコンで操作する場合は、リモコンに設けられた切換キーや切換スライドスイッチなどを操作して所望の装置を選択し、続いて動作の指示を操作することになる。
【０００４】
また、ビデオ装置やＤＶＤ装置やＨＤＤ装置などが１つの筐体に収められた複合機もある。複合機に付属するリモコンは１つであり、上記のリモコンと同様に切換キーや切換スライドスイッチなどが設けられている。
【０００５】
このように、１つのリモコンで、複数の装置を操作したり複合機を操作したりする場合は、リモコンが複数の操作コードを有することになる。そして、切換キーや切換スライドスイッチなどによって操作コードを切り換えている。
【０００６】
この操作コードの切り換えの手間を省いたものが、特許文献１に開示されている。特許文献１には、リモコン送信機に複数の送信機の機能や機器選択の切換えスイッチおよびアドレス指定機能を必要することなく、１つのリモコン送信機でＶＴＲやテレビジョン等の複数の機器を、ユーザが普通に希望すると思われる動作を判定して、同じキー操作をしても自動的に対象の機器や動作を切り替えてリモートコントロールできるリモコンシステムが開示されている。しかしながら、特許文献１では必ずしもユーザの意志を反映させられるとは限らない。
【特許文献１】特開２０００−１５２３４９号公報
【発明の開示】
【発明が解決しようとする課題】
【０００７】
ところで、切換スライドスイッチを有するリモコンを使う場合、ユーザは切換スライドスイッチがどの位置にあるかを確認することで所望の装置を操作することができるが、切換スライドスイッチを設けるのにはリモコンの筐体を加工したり、部品点数を増やしたりする必要があるため、コストが掛かる。
【０００８】
また、切換キーを有するリモコンを使う場合、現在選択されている装置を示すＬＥＤランプなどがリモコンに付いていればユーザはどの装置が操作できるかを確認することができるが、ＬＥＤランプを設けるのにコストが掛かるとともに、電池の消耗も早くなる。
【０００９】
そこで、ＬＥＤランプを持たず切換キーのみを有するリモコンとするのが、最もコストが掛からない。しかし、ユーザは現在どの装置が操作可能なのか一目で判断することができない。例えば、ＤＶＤとＨＤＤの複合機を操作する際、ＨＤＤに録画させるつもりで録画キーを押した場合でも、リモコンの切換キーがＤＶＤになっていた場合はＤＶＤに録画されてしまう。
【００１０】
本発明は、現在どの装置の操作コードを選択しているのか目視で判断できなくても、ユーザが所望の装置を操作することができる、使い勝手のよいリモートコントロールシステムを提供することを目的とする。
【課題を解決するための手段】
【００１１】
上記目的を達成するために本発明は、複数の操作コードを有するリモコンと、該リモコンからの操作指示にしたがって動作する複数の記録媒体再生装置又は記録媒体再生部を複数備えた記録媒体再生装置とからなるリモートコントロールシステムにおいて、
前記リモコンは、前記操作コードを切り換える切換キーを有する操作部と、前記記録媒体再生装置へ操作指示を送信するリモコン側送信部と、前記記録媒体再生装置からの指示を受信するリモコン側受信部とを備え、
前記記録媒体再生装置は、前記リモコンからの操作指示を受信する装置側受信部と、前記リモコンへ指示を送信する装置側送信部とを備え、
前記リモコンが、リモコン側で選択されている操作コードを送信すると、前記記録媒体再生装置が、記録媒体再生装置側でどの操作コードが有効になっているかを確認し、リモコン側で選択されている操作コードと記録媒体再生装置側で有効になっている操作コードとが一致しない場合、両操作コードが一致するようにリモコン側又は記録媒体再生装置側の設定を変更することを特徴とする。
【００１２】
上記のリモートコントロールシステムにおいて、前記リモコンがリモコン側で選択されている操作コードを送信するのは、前記記録媒体再生装置がスタンバイ状態にあるときに、複数の記録媒体に兼用されるキーが操作された場合であることが望ましい。
【００１３】
また上記のリモートコントロールシステムにおいて、前記両操作コードが一致するようにリモコン側又は記録媒体再生装置側の設定を変更した後、前記操作されたキーに応じた操作指示を送信することが望ましい。
【００１４】
また上記のリモートコントロールシステムにおいて、前記リモコン側で選択されている操作コードと記録媒体再生装置側で有効になっている操作コードとが一致する場合、前記リモコンは前記操作されたキーに応じた操作指示を送信することが望ましい。
【００１５】
また上記のリモートコントロールシステムにおいて、前記両操作コードが一致するようにリモコン側又は記録媒体再生装置側の設定を変更するために、前記記録媒体再生装置はどちらの設定を変更すべきか指示するように促すことが望ましい。
【００１６】
本発明を具体化すると、複数の操作コードを有するリモコンと、該リモコンからの操作指示にしたがって動作する記録媒体再生部を複数備えた記録媒体再生装置とからなるリモートコントロールシステムにおいて、
前記リモコンは、前記操作コードを切り換える切換キーを有する操作部と、前記記録媒体再生装置へ操作指示を送信するリモコン側送信部と、前記記録媒体再生装置からの指示を受信するリモコン側受信部とを備え、
前記記録媒体再生装置は、前記リモコンからの操作指示を受信する装置側受信部と、前記リモコンへ指示を送信する装置側送信部とを備え、
前記記録媒体再生装置がスタンバイ状態にあるときに、複数の記録媒体に兼用されるキーが操作された場合、前記リモコンが、リモコン側で選択されている操作コードを送信し、
前記記録媒体再生装置が、記録媒体再生装置側でどの操作コードが有効になっているかを確認し、
前記リモコン側で選択されている操作コードと前記記録媒体再生装置側で有効になっている操作コードとが一致する場合、前記リモコンは前記操作されたキーに応じた操作指示を送信し、
リモコン側で選択されている操作コードと記録媒体再生装置側で有効になっている操作コードとが一致しない場合、前記両操作コードが一致するようにリモコン側又は記録媒体再生装置側の設定を変更するために、前記記録媒体再生装置はどちらの設定を変更すべきか指示するようにリモコンに要求するとともにメッセージを出力し、前記リモコンの操作部が操作されてリモコン側又は記録媒体再生装置側の設定を変更する指示があると、該指示にしたがって設定を変更し、その後、前記リモコンは前記操作されたキーに応じた操作指示を送信する構成となる。
【発明の効果】
【００１７】
本発明によれば、リモコン側で選択されている操作コードと記録媒体再生装置側で有効になっている操作コードとが一致しない場合、両操作コードが一致するようにリモコン側又は記録媒体再生装置側の設定を変更することにより、現在どの操作コードを選択しているのか目視で判断できなくても、ユーザは所望の媒体を操作することができる。したがって、使い勝手のよいリモートコントロールシステムが提供される。
【発明を実施するための最良の形態】
【００１８】
以下、リモートコントロールシステムの一例として、ハードディスクドライブ（ＨＤＤ）一体型光ディスク装置と、それを遠隔操作するリモコンとを含むシステムを用いて説明する。図１は、ＨＤＤ一体型光ディスク装置１０の構成及びその周辺機器を示すブロック図である。ＨＤＤ一体型光ディスク装置１０には、テレビ等の表示装置３０と、ケーブルテレビや衛星放送等のセットトップボックス又はビデオデッキ等の映像音声記録装置に代表される外部装置４０とが接続されている。またＨＤＤ一体型光ディスク装置１０は、リモコン５０によって操作可能である。以下では、光ディスクとしてＤＶＤを例に説明する。
【００１９】
ＨＤＤ一体型光ディスク装置１０は、アンテナで受信したテレビ放送信号を復調、デジタル化するチューナ１１と、チューナ１１や外部装置４０から受け取った画像音声データをＭＰＥＧ２等に準拠して圧縮符号化したり、ＨＤＤ記録再生部１２又はＤＶＤ記録再生部１３で再生された圧縮された画像データを伸長復号したりする画像音声圧縮伸長部１４と、画像音声圧縮伸長部１４から受け取った圧縮された画像音声データをＨＤＤに記録したり、ＨＤＤに記録されたデータを再生したりするＨＤＤ記録再生部１２と、画像音声圧縮伸長部１４から受け取った圧縮された画像音声データを挿入されたＤＶＤに記録したり、ＤＶＤに記録されたデータを再生したりするＤＶＤ記録再生部１３と、各種設定値を表示装置３０の一部に表示しながら設定できるようにするＯＳＤ（On Screen Display）部１５と、ＯＳＤ部１５からの画像信号をアナログ化し、表示装置３０へ出力する画像出力部１６と、画像音声圧縮伸長部１４からの音声信号をアナログ化し、表示装置へ出力する音声出力部１７と、ＲＯＭやＲＡＭからなるメモリ１８と、リモコン５０からの操作指示のコマンドを受信する装置側受信部１９と、リモコン５０へ指示するコマンドを送信する装置側送信部２０と、外部装置４０が接続される外部Ｉ／Ｆ２１と、ＨＤＤ一体型光ディスク装置１０の各部を制御する制御部２２とを備えている。
【００２０】
また、リモコン５０は、操作コードを切り換える切換キー（不図示）を有する操作部５１と、ＨＤＤ一体型光ディスク装置１０へ操作指示の各コマンドを送信するリモコン側送信部５２と、ＨＤＤ一体型光ディスク装置１０からの指示のコマンドを受信するリモコン側受信部５３と、複数の操作コードを記憶したＲＯＭやＲＡＭからなるメモリ５４と、リモコン５０の各部を制御する制御部５５とを備えている。
【００２１】
操作コードには、ＨＤＤを操作するためのＨＤＤ操作コードと、ＤＶＤを操作するためのＤＶＤ操作コードとがある。切換キーは、押下する度にＨＤＤ操作コードとＤＶＤ操作コードとの間で切り替わる。つまり、リモコン５０がＨＤＤ一体型光ディスク装置１０のＨＤＤを操作するコマンドを送信できる状態にあるかＤＶＤを操作するコマンドを送信できる状態にあるかが切り替わる。切換キーが押下されると、ＨＤＤ又はＤＶＤ操作コードのどちらかをリモコン側送信部５２が送信するので、その操作コードを受信したＨＤＤ一体型光ディスク装置１０は、その操作コードを有効にする。つまり、ＨＤＤ一体型光ディスク装置１０側でＨＤＤかＤＶＤのどちらを動作させるかの設定が変更される。
【００２２】
以下、上記のリモートコントロールシステムにおいて、リモコン５０とＨＤＤ一体型光ディスク装置１０との双方向の通信に関して説明する。図２は、ＨＤＤ一体型光ディスク装置１０とリモコン５０の動作を示すフローチャートである。図２中の破線は、リモコン５０とＨＤＤ一体型光ディスク装置１０との通信を示している。
【００２３】
ＨＤＤ一体型光ディスク装置１０の主電源が入っておりスタンバイ状態にあり、リモコン５０でＨＤＤ一体型光ディスク装置１０を操作できる環境にあるとする。このとき、ステップＳ１０においてリモコン５０の操作部５１が操作されると、ステップＳ１１へ進んで制御部５５は兼用キーが押下されたか否かを判別する。兼用キーとはＨＤＤとＤＶＤの操作のどちらにも用いられるキーであり、リモコン５０側とＨＤＤ一体型光ディスク装置１０側の両方で、ＨＤＤが選択されている場合はＨＤＤを操作するキーとして機能し、ＤＶＤが選択されている場合はＤＶＤを操作するキーとして機能する。兼用キーとしては、例えば、再生キー、停止キー、一時停止キー、早送りキー、録画キーなどがある。
【００２４】
ステップＳ１１において兼用キー以外のキーが押下された場合は、ステップＳ１６へ進んでリモコン５０は押下されたキーに応じたコマンドを送信する。そうすると、ＨＤＤ一体型光ディスク装置１０はステップＳ３０においてそのコマンドを受信し、ステップＳ３１へ進んでそのコマンドの指示通りに動作する。ここで、兼用キー以外のキーとしては、チャンネルアップ／ダウンキー、ＤＶＤ取り出しキー、予約確認キーなどがある。
【００２５】
ステップＳ１１において兼用キーが押下された場合は、ステップＳ１３へ進んでリモコン５０はどの兼用キーが押下された場合でもリモコン５０側で現在選択されている操作コード（ＨＤＤ操作コード又はＤＶＤ操作コード）を送信する。
【００２６】
そうすると、ＨＤＤ一体型光ディスク装置１０はステップＳ３２においてその操作コードを受信し、ステップＳ３３へ進んでＨＤＤ一体型光ディスク装置１０側でどちらの操作コードが有効になっているかを確認し、ステップＳ３４へ進んで受信した操作コードとＨＤＤ一体型光ディスク装置１０側で有効になっている操作コードとが一致するか否かを判別する。ステップＳ３４において、受信した操作コードとＨＤＤ一体型光ディスク装置１０側で有効になっている操作コードとが一致した場合、ステップＳ３５へ進んで一致したことを示すコマンドをリモコン５０へ送信する。そうすると、ステップＳ１４においてリモコン５０がコマンドを受信し、ステップＳ１５へ進んで操作コードが一致したことを示すコマンドか一致しないことを示すコマンドかを判別する。ここでは一致したことを示すコマンドであるので、ステップＳ１６へ進んでリモコン５０はステップＳ１０で操作されたキーに応じた操作指示のコマンドを送信する。そうすると、ステップＳ３０においてＨＤＤ一体型光ディスク装置１０はそのコマンドを受信し、ステップＳ３１へ進んでそのコマンドの指示通りに動作する。
【００２７】
一方、ステップＳ３４において、受信した操作コードとＨＤＤ一体型光ディスク装置１０側で有効になっている操作コードとが一致しない場合、ステップＳ３６へ進んで一致しないことを示すコマンドをリモコン５０へ送信し、ステップＳ３７へ進んで表示装置３０へメッセージを表示させる。このメッセージは、リモコン５０で選択されている操作コードとＨＤＤ一体型光ディスク装置１０側で有効になっている操作コードとが一致しないので、ＨＤＤ一体型光ディスク装置１０側の設定を変更するかどうかをユーザにたずねる内容とする。
【００２８】
ステップＳ１４においてリモコン５０は、一致しないことを示すコマンドを受信し、ステップＳ１５へ進んで操作コードが一致したことを示すコマンドか一致しないことを示すコマンドかを判別する。ここでは一致しないことを示すコマンドであるので、ステップＳ１７へ進んでＨＤＤ一体型光ディスク装置１０側又はリモコン側のどちらの設定を変更するかの操作指示を待ち、メッセージを見たユーザによってリモコン５０の操作部５１が操作されてどちらの設定を変更するかが選択されると、その選択結果に応じてステップＳ１８又はステップＳ１９へ進む。
【００２９】
ステップＳ１７においてＨＤＤ一体型光ディスク装置１０側の設定を変更することが選択された場合は、ステップＳ１８へ進んでリモコン５０はＨＤＤ一体型光ディスク装置１０へ設定変更を要求するコマンドを送信する。そうすると、ステップＳ３８においてＨＤＤ一体型光ディスク装置１０がそのコマンドを受信し、ステップＳ３９へ進んでＨＤＤ一体型光ディスク装置１０側で有効となっている操作コマンドを切り替え、ステップＳ４０へ進んでリモコン５０へ設定変更した旨のコマンドを送信する。ステップＳ２０においてリモコン５０はそのコマンドを受信し、ステップＳ１６へ進んでリモコン５０はステップＳ１０で操作されたキーに応じた操作指示のコマンドを送信する。そうすると、ＨＤＤ一体型光ディスク装置１０はそのコマンドを受信してそのコマンドの指示通りに動作する。
【００３０】
一方、ステップＳ１７においてリモコン５０側の設定を変更することが選択された場合は、ステップＳ１９へ進んでリモコン５０はリモコン５０側で選択されている操作コードを切り替え、ステップＳ１６へ進んでステップＳ１０で操作されたキーに応じた操作指示のコマンドを送信する。ここで送信するコマンドは切り替えた操作コードに対応したコマンドである。そうすると、ＨＤＤ一体型光ディスク装置１０はそのコマンドを受信してそのコマンドの指示通りに動作する。
【００３１】
このように、リモコン５０側で選択されている操作コードとＨＤＤ一体型光ディスク装置１０側で有効になっている操作コードとが一致しない場合、両操作コードが一致するようにリモコン５０側又はＨＤＤ一体型光ディスク装置１０側の設定を変更することにより、現在ＨＤＤかＤＶＤかどちらの操作コードを選択しているのか目視で判断できなくても、ユーザは所望の媒体を操作することができる。したがって、使い勝手のよいリモートコントロールシステムが提供される。
【００３２】
なお、上記の実施形態ではスタンバイ状態からのリモコンの操作を前提としたが、兼用キーが押下される度に上記の操作コードを一致させる処理を行うようにしてもよい。そうすれば、リモコンの操作と操作の間に、ＨＤＤ一体型光ディスク装置１０が受信できない方向へ向かって誤って切換キーを押してしまった場合でも、次回の操作時にユーザの望む媒体を操作することができる。
【００３３】
また、ステップＳ１７において一定時間ユーザからの操作がなければ自動的にステップＳ１９へ進むようにしてもよい。ＨＤＤ一体型光ディスク装置１０の設定を優先させるためである。
【００３４】
また、ステップＳ３７で表示させるメッセージは、ＨＤＤ一体型光ディスク装置１０やリモコン５０が表示部を有すればそこへ表示するようにしてもよい。そうすれば、表示装置３０の電源がオフであった場合でもユーザに報知することができる。
【００３５】
また、ステップＳ１７、Ｓ１８、Ｓ２０、Ｓ３８〜４０は必ずしも必要ではなく、ステップＳ１５でＮｏの場合はステップＳ１９へ進むようにしてもよい。そうすると、リモコン５０側で選択されている操作コードとＨＤＤ一体型光ディスク装置１０側で有効になっている操作コードとが一致しない場合、自動的にリモコン側の操作コードが切り替わるので、ユーザが選択する操作が不要となり使い勝手が向上する。
【００３６】
また、ステップＳ１６で操作指示のコマンドを送信するようにしているが、それに代えてステップＳ１３で操作コードを送信するのに続けて操作指示のコマンドを送信し、ＨＤＤ一体型光ディスク装置１０のメモリ１８に一時的に記憶させておき、ステップＳ３０においてコマンドを受信する代わりにメモリ１８に記憶したコマンドを読み出すようにしてもよい。
【００３７】
また、リモコンと複数台の記録媒体再生装置からなるリモートコントロールシステムの場合は、それぞれの記録媒体再生装置に固有のＩＤを操作コードとともに送受信することで、現在有効に動作している記録媒体再生装置を特定することができる。
【産業上の利用可能性】
【００３８】
本発明は、ビデオカセットレコーダやＤＶＤ等の光ディスク装置やハードディスクレコーダなどの記録媒体再生装置を複数台接続したリモートコントロールシステム、又は複数の記録媒体再生装置を１つの筐体に組み込んだ複合機、例えばハードディスクドライブ一体型光ディスク装置等を用いたリモートコントロールシステムに利用することができる。
【図面の簡単な説明】
【００３９】
【図１】本発明のＨＤＤ一体型光ディスク装置の構成及びその周辺機器を示すブロック図である。
【図２】本発明のＨＤＤ一体型光ディスク装置とリモコンの動作を示すフローチャートである。
【符号の説明】
【００４０】
１０    ＨＤＤ一体型光ディスク装置（記録媒体再生装置）
１２    ＨＤＤ記録再生部（記録媒体再生部）
１３    ＤＶＤ記録再生部（記録媒体再生部）
１９    装置側受信部
２０    装置側送信部
５１    操作部
５２    リモコン側送信部
５３    リモコン側受信部
【図１】
2008098957.tif 000003
【図２】
2008098957.tif 000004